(57)【特許請求の範囲】
【請求項１】
基材層（Ａ）とフィルタ層（Ｂ）とを積層した積層シートからなる成形物で、該フィルタ層（Ｂ）を外表面に配置させて、開口部を有する内部中空の半楕円球に形成され、該開口部が鼻腔の入口に位置するように該鼻腔に挿入可能になしてあり、上記フィルタ層（Ｂ）は、メルトブローにより製造された極細の繊維集合体に界面活性剤を塗布し帯電させたものであることを特徴とする鼻用マスク。
【請求項２】
上記フィルタ層（Ｂ）が捕集効率６０％以上、かつ吸気抵抗５．０ｍｍＨ2Ｏ以下であることを特徴とする請求項１記載の鼻用マスク。
【請求項３】
上記基材層（Ａ）がスパンポンド不織布からなることを特徴とする請求項１記載の鼻用マスク。
【請求項４】
上記半楕円球は、鼻腔への挿入時に上記開口部の開口縁と上記鼻腔の入口とが密着するように形成されていることを特徴とする請求項１〜３の何れかに記載の鼻用マスク。
【請求項５】
連結部材により連結された一対の上記半楕円球からなることを特徴とする請求項１〜４の何れかに記載の鼻用マスク。
【発明の詳細な説明】
【０００１】
【発明の属する技術分野】
本発明は、鼻孔に挿入することにより鼻孔から異物の侵入を防止した鼻用マスクに関し、特に鼻のアレルギー疾患用として用いられるマスクに関する。
【０００２】
【従来の技術】
従来、鼻にアレルギー疾患を有する人は、鼻粘膜にアレルゲンが付着することを防止する目的で、フィルタ材で口から鼻にかけて覆う一般的なマスクを用いていた。しかしながら、このようなマスクの大部分は、人体の立体形状にぴったりと一致していないために、隙間を生じ、その隙間から入り込む、例えば、すぎ花粉のようなアレルゲンを吸い込み、くしゃみ、鼻水、鼻づまり等の特有の症状を呈することとなり、マスク本来の目的である異物の侵入を充分に防止することができない。
一方、マスクに立体形状を付与して顔にフィットさせる試みがなされてきたが、従来の口から鼻を覆うタイプのマスクは、飲食の際等にいちいち取り外さなければならず、鼻粘膜の保護という目的においては不都合であった。
【０００３】
【発明が解決しようとする課題】
従って、本発明の目的は、異物の侵入を充分に防止すると共に、飲食時等に取り外しの不要な、特にアレルギー疾患用として用いられる鼻用マスクを提供するものである。
【０００４】
【課題を解決するための手段】
本発明は、人体の鼻孔に挿入するマスクにより、上記課題を解決したものである。
即ち、本発明は、基材層（Ａ）とフィルタ層（Ｂ）とを積層した積層シートからなる成形物で、該フィルタ層（Ｂ）を外表面に配置させて、開口部を有する内部中空の半楕円球に形成され、該開口部が鼻腔の入口に位置するように該鼻腔に挿入可能になしてあり、上記フィルタ層（Ｂ）は、メルトブローにより製造された極細の繊維集合体に界面活性剤を塗布し帯電させたものであることを特徴とする鼻用マスクを提供するものである。
【０００５】
【発明の実施の形態】
以下、本発明の鼻用マスクについて、添付図面を参照して説明する。図１は本発明の鼻用マスクの一実施形態を示す斜視図、図２は捕集効率および吸気抵抗の測定方法を示す状態図である。
【０００６】
図１に示す鼻用マスク１は、基材層（Ａ）とフィルタ層（Ｂ）とを積層した積層シートからなる成形物１（鼻用マスク１）で、該フィルタ層（Ｂ）を外表面に配置されて、開口部３，３を有する内部中空の半楕円球２，２に形成され、該開口部３，３が鼻腔の入口に位置するように該鼻腔に挿入可能になしてある。
【０００７】
本実施形態について更に詳述すると、上記半楕円球２，２は、鼻腔への挿入時に上記開口部３，３の開口縁と上記鼻腔の入口とが密着するように形成されている。また、該半楕円球２，２は、連結部材４により一対に連結されており、取り扱いが便利なようになっている。
上記連結部材４は、二つの鼻腔の入口間の距離と略同じ長さを有する棒状の部材で、上記開口部３の開口縁に連設されている。このように、該連結部材４は、上記半楕円球２，２の鼻腔への挿入を妨げず且つ挿入後の外観が良くなるようになっている。
【０００８】
ここで使用されるフィルタ層（Ｂ）を構成する微フィルタ材は、メルトブローにより製造された極細の繊維集合体に界面活性剤を塗布することにより得られる帯電して浮遊粒子を吸着できるものが用いられる。
【０００９】
極細繊維を用いた繊維集合体は目開きをコントロールすることと帯電させることにより捕集効率および吸気抵抗を所定の値にコントロールすることができる。ここで用いられる繊維は特に制限はないが、ポリエチレン、ポリプロピレン、ポリブテン等のポリオレフィン系の樹脂あるいはポリエステル、ナイロン等を用いることができる。
【００１０】
この繊維集合体からなる微フィルタ材の坪量（目付）は、５〜２０ｇ／ｍ2であることが望ましい。また、ここで使用される繊維の繊度は、０．５〜１０μｍとするのが好ましい。
【００１１】
これら微フィルタ材からなるフィルタ層（Ｂ）は、捕集効率が６０％以上、かつ吸気抵抗が５．０ｍｍＨ2 Ｏ以下であることが望ましい。捕集効率が６０％未満、あるいは吸気抵抗が５．０ｍｍＨ2 Ｏを超えると異物の侵入を有効に防止することができない。
【００１２】
また、基材層（Ａ）を形成する基材としては、熱可塑性樹脂からなる不織布、開口シート、ネット等を用いることができる。特に鼻孔型に賦形することと人体へのフィット性等を考慮すると、ポリプロピレン、ナイロン、ポリエステル等を用いたスパンボンド不織布を好ましく用いることができる。
【００１３】
この不織布等からなる微フィルタ材の坪量（目付）は、５〜５０ｇ／ｍ2 であることが望ましい。また、ここで使用される繊維の繊度は、５〜３５μｍとするのが好ましい。
【００１４】
本発明は上記実施形態に限定されるものではなく、具体的な形状や寸法等は、本発明の趣旨を逸脱しない限りにおいて適宜変更可能である。
例えば、鼻用マスクは、上記実施形態のように、連結部材により連結された一対の半楕円球からなることが好ましいが、該半楕円球のみからなっても良い。
また、連結部材は、上記実施形態のように、棒状の部材とされることが好ましいが糸状の部材であっても良い。
【００１５】
【実施例】
以下、図１に示す実施例について本発明を具体的に説明する。尚、本実施例は、界面活性剤が塗布されていないものの例である。
〔実施例１〕基材層（Ａ）としてポリプロピレンスパンボンド不織布（坪量２０ｇ／ｍ2）、フィルタ層（Ｂ）としてポリプロピレンメルトブロー不織布を用い、この２層を積層した後、鼻孔と略同一形状になるように賦形し、図１に示されるようなマスクを作成した。このように作成されたマスクの捕集効率と吸気抵抗を下記の方法で作成した。結果を表１に示す。
【００１６】
（捕集効率）
直径８ｃｍの試料を用い、専用のフィルター性能試験機を使用し、図２の上流側より、２μｍ以下の石英粉塵（平均粒径約１μｍ）を含む空気を３０リットル／分の割合で流した。この時の上流側の粉塵の個数と下流側のそれとの比率から計算した。
【００１７】
【数１】
0003792025.tif 000002
【００１８】
（吸気抵抗）
図２の上流側の空気の圧力と下流側の圧力との差で示す。上記捕集効率と同様に３０リットル／分の流量条件で試験を行った。数値が小さい方が通気性が良いことを示す。
【００１９】
【表１】
0003792025.tif 000003
【００２０】
【発明の効果】
以上説明したように、人体の鼻孔に挿入する本発明の鼻用マスクは、異物の侵入を有効に防止し、鼻粘膜が良好に保護されると共に、飲食時等の取り外しも不要となる。
【図面の簡単な説明】
【図１】図１は、本発明の鼻用マスクの一実施形態を示す斜視図である。
【図２】図２は、捕集効率および吸気抵抗の測定方法を示す状態図。
【符号の説明】
１  鼻用マスク（成形物）
２  半楕円球
３  開口部
４  連結部材
【図１】
0003792025.tif 000004
【図２】
0003792025.tif 000005